(57)【要約】  将来の無線通信システムにおいて、任意のキャリアでどのサブキャリア間隔が設定されている場合であっても、ＳＣｅｌｌのアクティブ化および非アクティブ化のタイミングを適切に制御するために、本開示のユーザ端末の一態様は、所定セルに対するアクティベーションコマンドまたはディアクティベーションコマンドを受信する受信部と、前記アクティベーションコマンドまたはディアクティベーションコマンドを送信したキャリアのサブキャリア間隔に依存しないタイミングで、前記アクティベーションコマンドまたはディアクティベーションの受信に対応する動作を適用する制御部と、を有する。
2020017054.tif 000002
【特許請求の範囲】
【請求項１】
所定セルに対するアクティベーションコマンドまたはディアクティベーションコマンドを受信する受信部と、
前記アクティベーションコマンドまたはディアクティベーションコマンドを送信したキャリアのサブキャリア間隔に依存しないタイミングで、前記アクティベーションコマンドまたはディアクティベーションの受信に対応する動作を適用する制御部と、を有することを特徴とするユーザ端末。
【請求項２】
前記タイミングは、前記所定セルに対する前記アクティベーションコマンドまたはディアクティベーションコマンドを受信してからｋ［ｍｓ］後であることを特徴とする請求項１に記載のユーザ端末。
【請求項３】
前記タイミングは、前記所定セルに対する前記アクティベーションコマンドまたはディアクティベーションコマンドを受信してからｋ［ｍｓ］後の前記所定セルのサブキャリア間隔に基づく最初のスロットであることを特徴とする請求項２に記載のユーザ端末。
【請求項４】
前記タイミングは、前記所定セルに対する前記アクティベーションコマンドまたはディアクティベーションコマンドを受信してからｋ［ｍｓ］後の最初のサブフレームの最初のスロットであることを特徴とする請求項２に記載のユーザ端末。
【請求項５】
前記タイミングは、前記所定セルに対する前記アクティベーションコマンドまたはディアクティベーションコマンドを搬送する下り共有チャネル（ＰＤＳＣＨ：Physical  Downlink  Shared  Channel）を受信するキャリアのサブキャリア間隔に依存することを特徴とする請求項１に記載のユーザ端末。
【請求項６】
前記タイミングは、前記所定セルの上り制御チャネル（ＰＵＣＣＨ：Physical  Uplink  Control  Channel）が設定されるキャリアのサブキャリア間隔に依存することを特徴とする請求項１に記載のユーザ端末。
【発明の詳細な説明】
【技術分野】
【０００１】
本発明は、次世代移動通信システムにおけるユーザ端末に関する。
【背景技術】
【０００２】
既存のＬＴＥシステム（たとえば、Ｒｅｌ．１３）では、キャリアアグリゲーション（ＣＡ：Carrier  Aggregation）において、基地局は、ユーザ端末（ＵＥ：User  Equipment）に対してセカンダリセル（ＳＣｅｌｌ：Secondary  Cell）を非アクティブ（deactivate）状態からアクティブにする（activate）ために、ＭＡＣ（Medium  Access  Control）制御要素（ＣＥ：Control  Element）を利用して制御を行う（非特許文献１）。【０００３】
ユーザ端末は、サブフレームｎでＳＣｅｌｌに対するアクティベーションコマンドを受信すると、所定期間後のサブフレーム（たとえば、サブフレーム（ｎ＋８））までの間に当該ＳＣｅｌｌをアクティブ化する。
【先行技術文献】
【非特許文献】
【０００４】
【非特許文献１】3GPP  TS  36.321  V13.7.0  “Evolved  Universal  Terrestrial  Radio  Access  (E-UTRA);  Medium  Access  Control  (MAC)  protocol  specification  (Release  13)”、２０１７年９月
【発明の概要】
【発明が解決しようとする課題】
【０００５】
将来の無線通信システム（たとえば、Ｒｅｌ．１５）において、ＳＣｅｌｌのアクティブ化および非アクティブ化（activation／deactivation）のタイミングは、スロットを基準として規定されている。【０００６】
将来の無線通信システム（たとえば、ＮＲ（New  Radio））のキャリアアグリゲーションでは、たとえば、ＳＣｅｌｌとＰＣｅｌｌ（Primary  Cell）とでサブキャリア間隔が異なる可能性がある。この場合、どのキャリアのスロットを基準としてＳＣｅｌｌのアクティブ化および非アクティブ化のタイミングを決めるのか判別がつかないおそれがある。【０００７】
本発明はかかる点に鑑みてなされたものであり、将来の無線通信システムにおいて、任意のキャリアでどのサブキャリア間隔が設定されている場合であっても、ＳＣｅｌｌのアクティブ化および非アクティブ化のタイミングを適切に制御できるユーザ端末を提供することを目的の１つとする。
【課題を解決するための手段】
【０００８】
本発明のユーザ端末の一態様は、所定セルに対するアクティベーションコマンドまたはディアクティベーションコマンドを受信する受信部と、前記アクティベーションコマンドまたはディアクティベーションコマンドを送信したキャリアのサブキャリア間隔に依存しないタイミングで、前記アクティベーションコマンドまたはディアクティベーションの受信に対応する動作を適用する制御部と、を有することを特徴とする。
【発明の効果】
【０００９】
本発明によれば、将来の無線通信システムにおいて、任意のキャリアでどのサブキャリア間隔が設定されている場合であっても、ＳＣｅｌｌのアクティブ化および非アクティブ化のタイミングを適切に制御できる。
【図面の簡単な説明】
【００１０】
【図１】将来の無線通信システムでキャリアアグリゲーションが設定された、サブキャリア間隔が異なる複数のキャリアの一例を示す図である。
【図２】キャリアアグリゲーションが設定された、サブキャリア間隔が異なる複数のキャリアにおいて、態様１−１に対応するＳＣｅｌｌアクティブ化／非アクティブ化のタイミングの一例を示す図である。
【図３】キャリアアグリゲーションが設定された、サブキャリア間隔が異なる複数のキャリアにおいて、態様１−２に対応するＳＣｅｌｌアクティブ化／非アクティブ化のタイミングの一例を示す図である。
【図４】キャリアアグリゲーションが設定された、サブキャリア間隔が異なる複数のキャリアにおいて、態様２−１に対応するＳＣｅｌｌアクティブ化／非アクティブ化のタイミングの一例を示す図である。
【図５】キャリアアグリゲーションが設定された、サブキャリア間隔が異なる複数のキャリアにおいて、態様２−２に対応するＳＣｅｌｌアクティブ化／非アクティブ化のタイミングの一例を示す図である。
【図６】キャリアアグリゲーションが設定された、サブキャリア間隔が異なる複数のキャリアにおいて、態様２−３に対応するＳＣｅｌｌアクティブ化／非アクティブ化のタイミングの一例を示す図である。
【図７】図７Ａおよび図７Ｂは、ＤＣＩによるＳＣｅｌｌのアクティブ化／非アクティブ化のタイミングの一例を示す図である。
【図８】図８Ａおよび図８Ｂは、ＤＣＩによるＳＣｅｌｌのアクティブ化／非アクティブ化のタイミングの一例を示す図である。
【図９】本実施の形態に係る無線通信システムの概略構成の一例を示す図である。
【図１０】本実施の形態に係る無線基地局の機能構成の一例を示す図である。
【図１１】無線基地局のベースバンド信号処理部の機能構成の一例を示す図である。
【図１２】本実施の形態に係るユーザ端末の機能構成の一例を示す図である。
【図１３】ユーザ端末のベースバンド信号処理部の機能構成の一例を示す図である。
【図１４】本発明の一実施形態に係る無線基地局およびユーザ端末のハードウェア構成の一例を示す図である。
【発明を実施するための形態】
【００１１】
既存のＬＴＥシステム（たとえば、Ｒｅｌ．１３）のキャリアアグリゲーションでは、ＳＣｅｌｌを非アクティブ状態からアクティブ化するために、ＭＡＣ  ＣＥを利用したシグナリングが利用される。当該ＭＡＣ  ＣＥには、各ＳＣｅｌｌについての、アクティブ化に関する情報が含まれる。
【００１２】
ユーザ端末は、ＳＣｅｌｌのアクティブ化（アクティベーション）を指示するＭＡＣ  ＣＥを受信した場合、当該ＭＡＣ  ＣＥによってアクティブ化が設定されたＳＣｅｌｌをアクティブなセルとして設定する。ユーザ端末は、ＭＡＣ  ＣＥによってアクティブ化が設定されたＳＣｅｌｌに対して、ＳＣｅｌｌでのサウンディング参照信号（ＳＲＳ：Sounding  Reference  Signal）の送信、ＳＣｅｌｌに対するチャネル品質情報（ＣＱＩ：Channel  Quality  Indicator）、プリコーディング行列情報（ＰＭＩ：Precoding  Matrix  Indicator）、ランク情報（ＲＩ：Rank  Indicator）またはプリコーディングタイプ情報（ＰＴＩ：Precoding  Type  Indicator）の報告、ＳＣｅｌｌでの上り制御チャネル（ＰＵＣＣＨ：Physical  Uplink  Control  Channel）の送信、ＳＣｅｌｌでのＲＡＣＨ（Random  Access  Channel）の送信、ＳＣｅｌｌでの下り制御チャネル（ＰＤＣＣＨ：Physical  Downlink  Control  Channel）のモニタ、ならびに、ＳＣｅｌｌに対するＰＤＣＣＨのモニタなどの動作を行うことができる。
【００１３】
ユーザ端末は、ＳＣｅｌｌのアクティブ化を指示するＭＡＣ  ＣＥを受信した場合、当該ＭＡＣ  ＣＥによってアクティブ化が設定されたＳＣｅｌｌに関連するＳＣｅｌｌディアクティベーションタイマ（sCellDeactivationTimer）をスタートまたはリスタートする。
【００１４】
ユーザ端末は、ＳＣｅｌｌの非アクティブ化（ディアクティベーション）を指示するＭＡＣ  ＣＥを受信した場合、または、ＳＣｅｌｌディアクティベーションタイマ（sCellDeactivationTimer）が満了した場合、ＭＡＣ  ＣＥによって非アクティブ化が設定されたＳＣｅｌｌを非アクティブなセルとして設定する。
【００１５】
将来の無線通信システム（たとえば、Ｒｅｌ．１５）では、ユーザ端末が、所定セルのスロットｎにおいてＳＣｅｌｌに対するアクティベーションコマンド（たとえば、ＳＣｅｌｌのアクティブ化を指示するＭＡＣ  ＣＥ）を受信した場合、定義された最小要件（minimum  requirement）よりも遅くなく、かつ、スロット（ｎ＋ｋ）より早くなく、次の動作１から動作３を除いて、対応する動作が適用されなければならないと規定されている。
【００１６】
動作１は、スロット（ｎ＋ｋ）においてアクティブであるサービングセルのＣＳＩ報告に関連する動作である。
【００１７】
動作２は、スロット（ｎ＋ｋ）において適用されるＳＣｅｌｌに関連付けられたＳＣｅｌｌディアクティベーションタイマ（sCellDeactivationTimer）に関連する動作である。
【００１８】
動作３は、サービングセルがアクティブとなるスロット（ｎ＋ｋ）後の最初のスロットにおいて適用される、スロット（ｎ＋ｋ）においてアクティブでないサービングセルのＣＳＩ報告に関連する動作である。
【００１９】
ＳＣｅｌｌに対するアクティベーションコマンドに応じて当該ＳＣｅｌｌがアクティブ化された場合に適用される「対応する動作」として、ユーザ端末は、ＳＣｅｌｌでのＳＲＳの送信、ＳＣｅｌｌに対するＣＳＩ報告、ＳＣｅｌｌでのＰＤＣＣＨのモニタ、ＳＣｅｌｌに対するＰＤＣＣＨのモニタ、または、ＳＣｅｌｌでのＰＵＣＣＨの送信、のいずれかの動作を適用してもよい。
【００２０】
ユーザ端末が、スロットｎにおいて、ＳＣｅｌｌに対するディアクティベーションコマンド（たとえば、ＳＣｅｌｌの非アクティブ化を指示するＭＡＣ  ＣＥ）を受信する場合、または、当該ＳＣｅｌｌに関連付けられたＳＣｅｌｌディアクティベーションタイマ（sCellDeactivationTimer）が満了する場合、スロット（ｎ＋ｋ）において適用されるアクティブなサービングセルのＣＳＩ報告に関連する動作を除いて、対応する動作が、定義された最小要件よりも遅くなく適用されなければならないと規定されている。
【００２１】
ＳＣｅｌｌに対するディアクティベーションコマンドに応じて当該ＳＣｅｌｌが非アクティブ化された場合に適用される「対応する動作」として、ユーザ端末は、ＳＣｅｌｌでＳＲＳを送信しない、ＳＣｅｌｌに対するＣＳＩを送信しない、ＳＣｅｌｌでＵＬ−ＳＣＨ（ＵＬデータ、ＵＬトランスポートチャネル）を送信しない、ＳＣｅｌｌでＲＡＣＨを送信しない、ＳＣｅｌｌでＰＤＣＣＨをモニタしない、ＳＣｅｌｌに対するＰＤＣＣＨをモニタしない、または、ＳＣｅｌｌでＰＵＣＣＨを送信しない、のいずれかの動作を適用してもよい。
【００２２】
このように将来の無線通信システム（たとえば、Ｒｅｌ．１５）において、ＳＣｅｌｌのアクティブ化および非アクティブ化（activation／deactivation）のタイミングが、スロットを基準として規定されている。
【００２３】
将来の無線通信システム（たとえば、ＮＲ）のキャリアアグリゲーションでは、たとえば、ＳＣｅｌｌとＰＣｅｌｌとでサブキャリア間隔（ＳＣＳ：Subcarrier  Spacing）が異なる可能性がある。この場合、どのキャリアのスロットを基準としてＳＣｅｌｌのアクティブ化および非アクティブ化のタイミングを決めるのか判別がつかないおそれがある。
【００２４】
図１は、将来の無線通信システム（たとえば、ＮＲ）でキャリアアグリゲーションが設定された、サブキャリア間隔が異なる複数のキャリアの一例を示す図である。図１に示す例では、スロットの定義として取り得る候補が、最大で４つ存在する。
【００２５】
第１の候補は、ＳＣｅｌｌに対するアクティベーションコマンドまたはディアクティベーションコマンドを含むＭＡＣ  ＣＥを搬送する下り共有チャネル（ＰＤＳＣＨ：Physical  Downlink  Shared  Channel）をスケジューリングしている下り制御チャネル（ＰＤＣＣＨ）を搬送するキャリア（図１におけるコンポーネントキャリア（ＣＣ：Component  Carrier）１）のスロットである。
【００２６】
第２の候補は、ＳＣｅｌｌに対するアクティベーションコマンドまたはディアクティベーションコマンドを含むＭＡＣ  ＣＥを搬送する下り共有チャネル（ＰＤＳＣＨ）を搬送するキャリア（図１におけるＣＣ２）のスロットである。
【００２７】
第３の候補は、ＭＡＣ  ＣＥによってアクティブ化されたＳＣｅｌｌのＣＳＩ報告を搬送する上り制御チャネル（ＰＵＣＣＨ）または上り共有チャネル（ＰＵＳＣＨ：Physical  Uplink  Shared  Channel）を搬送するキャリア（図１におけるＰＣｅｌｌ、ＰＳＣｅｌｌ（Secondary  Primary  Cell）、ＰＵＣＣＨ−ＳＣｅｌｌ）のスロットである。
【００２８】
第４の候補は、ＳＣｅｌｌに対するアクティベーションコマンドまたはディアクティベーションコマンドを含むＭＡＣ  ＣＥによってアクティブ化されるＳＣｅｌｌ（図１におけるＳＣｅｌｌ３）のスロットである。
【００２９】
そこで、本発明者らは、将来の無線通信システム（たとえば、ＮＲ）でキャリアアグリゲーションが設定された、サブキャリア間隔が異なる複数のキャリアにおける、ＳＣｅｌｌのアクティブ化および非アクティブ化（activation／deactivation）のタイミングについて、具体的に検討した。
【００３０】
以下、本実施の形態について添付図面を参照して詳細に説明する。
【００３１】
本実施の形態において、アクティブ状態に関する用語（たとえば、アクティベーション、アクティブ化、アクティブ、有効化、活性化など）は、非アクティブ状態に関する用語（たとえば、ディアクティベーション、非アクティブ化、非アクティブ、無効化、不活性化、休止、インアクティブ、リリースなど）によって読み替えられてもよい。「ＳＣｅｌｌのアクティブ化／非アクティブ化」は、ＳＣｅｌｌのアクティブ化および非アクティブ化の少なくとも一方、と読み替えられてもよい。
【００３２】
（第１の態様）
第１の態様では、ＳＣｅｌｌのアクティブ化／非アクティブ化のタイミングが、キャリアのサブキャリア間隔に依存しないミリ秒（ｍｓ）レベルの要件で処理される態様について説明する。
【００３３】
（態様１−１）
任意のキャリアでどのサブキャリア間隔が設定されている場合であっても、たとえば、ＣＳＩ報告およびＳＣｅｌｌディアクティベーションタイマ（sCellDeactivationTimer）に関連する動作は、ＳＣｅｌｌに対するアクティベーションコマンドを受信してからｋ［ｍｓ］後、具体的にはＳＣｅｌｌに対するアクティベーションコマンドを受信してからｋ［ｍｓ］後の最初のスロットにおいて開始されてもよい。
【００３４】
ここで、スロットは、アクティブ化されるＳＣｅｌｌのサブキャリア間隔に基づく。あるいは、スロットは、ＣＳＩ報告を搬送するセル、たとえば、ＰＣｅｌｌ、ＰＳＣｅｌｌまたはＰＵＣＣＨ−ＳＣｅｌｌのサブキャリア間隔に基づく。
【００３５】
ユーザ端末が、スロットｎにおいてＳＣｅｌｌに対するアクティベーションコマンド（たとえば、ＳＣｅｌｌのアクティブ化を指示するＭＡＣ  ＣＥ）を受信した場合、定義された最小要件よりも遅くなく、かつ、ＳＣｅｌｌに対するアクティベーションコマンドを受信してからｋ［ｍｓ］より早くなく、次の動作１から動作３を除いて、対応する動作が適用されてもよい。
【００３６】
動作１は、ＳＣｅｌｌに対するアクティベーションコマンドを受信してからｋ［ｍｓ］後の最初のスロットにおける、アクティブなサービングセルのＣＳＩ報告に関連する動作である。
【００３７】
動作２は、ＳＣｅｌｌに対するアクティベーションコマンドを受信してからｋ［ｍｓ］後の最初のスロットにおいて適用される、ＳＣｅｌｌに関連付けられたＳＣｅｌｌディアクティベーションタイマ（sCellDeactivationTimer）に関連する動作である。
【００３８】
動作３は、サービングセルがアクティブとなるＳＣｅｌｌに対するアクティベーションコマンドを受信してからｋ［ｍｓ］後の最初のスロットにおいて適用される、ＳＣｅｌｌに対するアクティベーションコマンドを受信してからｋ［ｍｓ］後の最初のスロットにおいてアクティブでないサービングセルのＣＳＩ報告に関連する動作である。
【００３９】
ＳＣｅｌｌに対するアクティベーションコマンドに応じて当該ＳＣｅｌｌがアクティブ化された場合に適用される「対応する動作」として、ユーザ端末は、ＳＣｅｌｌでのＳＲＳの送信、ＳＣｅｌｌに対するＣＳＩ報告、ＳＣｅｌｌでのＰＤＣＣＨのモニタ、ＳＣｅｌｌに対するＰＤＣＣＨのモニタ、または、ＳＣｅｌｌでのＰＵＣＣＨの送信、のいずれかの動作を適用してもよい。
【００４０】
ユーザ端末が、スロットｎにおいて、ＳＣｅｌｌに対するディアクティベーションコマンド（たとえば、ＳＣｅｌｌの非アクティブ化を指示するＭＡＣ  ＣＥ）を受信する場合、または、当該ＳＣｅｌｌに関連付けられたＳＣｅｌｌディアクティベーションタイマ（sCellDeactivationTimer）が満了する場合、ＳＣｅｌｌに対するアクティベーションコマンドを受信してからｋ［ｍｓ］後の最初のスロットにおいて適用されるアクティブなサービングセルのＣＳＩ報告に関連する動作を除いて、対応する動作が、定義された最小要件よりも遅くなく適用されてもよい。
【００４１】
ＳＣｅｌｌに対するディアクティベーションコマンドに応じて当該ＳＣｅｌｌが非アクティブ化された場合に適用される「対応する動作」として、ユーザ端末は、ＳＣｅｌｌでＳＲＳを送信しない、ＳＣｅｌｌに対するＣＳＩを送信しない、ＳＣｅｌｌでＵＬ−ＳＣＨ（ＵＬデータ、ＵＬトランスポートチャネル）を送信しない、ＳＣｅｌｌでＲＡＣＨを送信しない、ＳＣｅｌｌでＰＤＣＣＨをモニタしない、ＳＣｅｌｌに対するＰＤＣＣＨをモニタしない、または、ＳＣｅｌｌでＰＵＣＣＨを送信しない、のいずれかの動作を適用してもよい。
【００４２】
図２は、将来の無線通信システム（たとえば、ＮＲ）でキャリアアグリゲーションが設定された、サブキャリア間隔が異なる複数のキャリアにおいて、態様１−１に対応するＳＣｅｌｌアクティブ化／非アクティブ化のタイミングの一例を示す図である。
【００４３】
図２に示すように、ＣＣ１の所定のスロットにおいてＳＣｅｌｌに対するアクティベーションコマンドを含むＭＡＣ  ＣＥを搬送するＰＤＳＣＨが搬送され、ユーザ端末は当該ＰＤＳＣＨを受信する。
【００４４】
ユーザ端末は、ＳＣｅｌｌに対するアクティベーションコマンドを受信してからｋ［ｍｓ］後の最初のスロットにおいてＳＣｅｌｌディアクティベーションタイマ（sCellDeactivationTimer）に関連する動作を開始する。当該スロットは、アクティブ化されるＳＣｅｌｌのサブキャリア間隔に基づく。
【００４５】
ユーザ端末は、ＳＣｅｌｌに対するアクティベーションコマンドを受信してからｋ［ｍｓ］後の最初のスロットにおいてＣＳＩ報告を開始する。当該スロットは、ＣＳＩ報告を搬送するセル、たとえば、ＰＣｅｌｌ、ＰＳＣｅｌｌまたはＰＵＣＣＨ−ＳＣｅｌｌなどのサブキャリア間隔に基づく。
【００４６】
（態様１−２）
任意のキャリアでどのサブキャリア間隔が設定されている場合であっても、たとえば、ＣＳＩ報告およびＳＣｅｌｌディアクティベーションタイマ（sCellDeactivationTimer）に関連する動作は、ＳＣｅｌｌに対するアクティベーションコマンドを受信してからｋ［ｍｓ］後、具体的にはＳＣｅｌｌに対するアクティベーションコマンドを受信してからｋ［ｍｓ］後の最初のサブフレームにおいて開始されてもよい。
【００４７】
ユーザ端末が、サブフレームｉのスロットｎにおいてＳＣｅｌｌに対するアクティベーションコマンド（たとえば、ＳＣｅｌｌのアクティブ化を指示するＭＡＣ  ＣＥ）を受信した場合、定義された最小要件よりも遅くなく、かつ、サブフレーム（ｉ＋ｋ）の最初のスロットより早くなく、次の動作１から動作３を除いて、対応する動作が適用されてもよい。
【００４８】
動作１は、サブフレーム（ｉ＋ｋ）の最初のスロットにおける、アクティブなサービングセルのＣＳＩ報告に関連する動作である。
【００４９】
動作２は、サブフレーム（ｉ＋ｋ）の最初のスロットより後の最も早いスロットにおいて適用される、ＳＣｅｌｌに関連付けられたＳＣｅｌｌディアクティベーションタイマ（sCellDeactivationTimer）に関連する動作である。
【００５０】
動作３は、サービングセルがアクティブとなるサブフレーム（ｉ＋ｋ）の最初のスロットより後の最も早いスロットにおいて適用される、サブフレーム（ｉ＋ｋ）の最初のスロットより後の最も早いスロットにおいてアクティブでないサービングセルのＣＳＩ報告に関連する動作である。
【００５１】
ＳＣｅｌｌに対するアクティベーションコマンドに応じて当該ＳＣｅｌｌがアクティブ化された場合に適用される「対応する動作」として、ユーザ端末は、ＳＣｅｌｌでのＳＲＳの送信、ＳＣｅｌｌに対するＣＳＩ報告、ＳＣｅｌｌでのＰＤＣＣＨのモニタ、ＳＣｅｌｌに対するＰＤＣＣＨのモニタ、または、ＳＣｅｌｌでのＰＵＣＣＨの送信、のいずれかの動作を適用してもよい。
【００５２】
ユーザ端末が、サブフレームｉのスロットｎにおいて、ＳＣｅｌｌに対するディアクティベーションコマンド（たとえば、ＳＣｅｌｌの非アクティブ化を指示するＭＡＣ  ＣＥ）を受信する場合、または、当該ＳＣｅｌｌに関連付けられたＳＣｅｌｌディアクティベーションタイマ（sCellDeactivationTimer）が満了する場合、サブフレーム（ｉ＋ｋ）の最初のスロットより後の最も早いスロットにおいて適用されるアクティブなサービングセルのＣＳＩ報告に関連する動作を除いて、対応する動作が、定義された最小要件よりも遅くなく適用されてもよい。
【００５３】
ＳＣｅｌｌに対するディアクティベーションコマンドに応じて当該ＳＣｅｌｌが非アクティブ化された場合に適用される「対応する動作」として、ユーザ端末は、ＳＣｅｌｌでＳＲＳを送信しない、ＳＣｅｌｌに対するＣＳＩを送信しない、ＳＣｅｌｌでＵＬ−ＳＣＨ（ＵＬデータ、ＵＬトランスポートチャネル）を送信しない、ＳＣｅｌｌでＲＡＣＨを送信しない、ＳＣｅｌｌでＰＤＣＣＨをモニタしない、ＳＣｅｌｌに対するＰＤＣＣＨをモニタしない、または、ＳＣｅｌｌでＰＵＣＣＨを送信しない、のいずれかの動作を適用してもよい。
【００５４】
図３は、将来の無線通信システム（たとえば、ＮＲ）でキャリアアグリゲーションが設定された、サブキャリア間隔が異なる複数のキャリアにおいて、態様１−２に対応するＳＣｅｌｌアクティブ化／非アクティブ化のタイミングの一例を示す図である。
【００５５】
図３に示すように、サブフレームｉで、ＣＣ１の所定のスロットにおいてＳＣｅｌｌに対するアクティベーションコマンドを含むＭＡＣ  ＣＥを搬送するＰＤＳＣＨが搬送され、ユーザ端末は当該ＰＤＳＣＨを受信する。
【００５６】
ユーザ端末は、ＳＣｅｌｌに対するアクティベーションコマンドを受信してからｋ［ｍｓ］後のサブフレーム（ｉ＋ｋ）の所定のスロットにおいて、ＳＣｅｌｌディアクティベーションタイマ（sCellDeactivationTimer）に関連する動作を開始する。当該スロットは、サブフレーム（ｉ＋ｋ）における、アクティブ化されるＳＣｅｌｌのサブキャリア間隔に基づく最初のスロットより後の最も早いスロットであってもよい。
【００５７】
ユーザ端末は、ＳＣｅｌｌに対するアクティベーションコマンドを受信してからｋ［ｍｓ］後のサブフレーム（ｉ＋ｋ）の所定のスロットにおいてＣＳＩ報告を開始する。当該スロットは、サブフレーム（ｉ＋ｋ）における、ＣＳＩ報告を搬送するセル、たとえば、ＰＣｅｌｌ、ＰＳＣｅｌｌまたはＰＵＣＣＨ−ＳＣｅｌｌなどのサブキャリア間隔に基づく最初のスロットまたは最初のスロットより後の最も早いスロットであってもよい。
【００５８】
ユーザ端末が、ＳＣｅｌｌディアクティベーションタイマ（sCellDeactivationTimer）に関連する動作を開始タイミングと、ＣＳＩ報告を開始するタイミングとは、サブフレーム（ｉ＋ｋ）における同じタイミングとなる可能性がある。
【００５９】
第１の態様によれば、ＳＣｅｌｌのアクティブ化／非アクティブ化のタイミングを、キャリアのサブキャリア間隔に依存しないミリ秒（ｍｓ）レベルの要件で処理できるため、任意のキャリアでどのサブキャリア間隔が設定されている場合であっても、ＳＣｅｌｌのアクティブ化／非アクティブ化のタイミングを明確に規定できる。
【００６０】
（第２の態様）
第２の態様では、ＳＣｅｌｌのアクティブ化／非アクティブ化のタイミングが、任意のキャリアのサブキャリア間隔に依存する要件で処理される態様について説明する。
【００６１】
（態様２−１）
任意のキャリアでどのサブキャリア間隔が設定されている場合であっても、たとえば、ＣＳＩ報告およびＳＣｅｌｌディアクティベーションタイマ（sCellDeactivationTimer）に関連する動作は、ＳＣｅｌｌに対するアクティベーションコマンドを搬送するＰＤＳＣＨを受信したキャリアのサブキャリア間隔に基づくスロットに対応するタイミングで開始されてもよい。
【００６２】
ユーザ端末が、ＳＣｅｌｌに対するアクティベーションコマンド（たとえば、ＳＣｅｌｌのアクティブ化を指示するＭＡＣ  ＣＥ）を搬送するＰＤＳＣＨを受信したキャリアのスロットｎにおいて当該アクティベーションコマンドを受信した場合、定義された最小要件よりも遅くなく、かつ、ＳＣｅｌｌに対するアクティベーションコマンドを含むＭＡＣ  ＣＥを搬送するＰＤＳＣＨを受信したキャリアのスロット（ｎ＋ｋ）に対応するタイミングより早くなく、次の動作１から動作３を除いて、対応する動作が適用されてもよい。
【００６３】
動作１は、ＳＣｅｌｌに対するアクティベーションコマンドを搬送するＰＤＳＣＨを受信したキャリアのスロット（ｎ＋ｋ）に対応するタイミングにおける、アクティブなサービングセルのＣＳＩ報告に関連する動作である。
【００６４】
動作２は、ＳＣｅｌｌに対するアクティベーションコマンドを搬送するＰＤＳＣＨを受信したキャリアのスロット（ｎ＋ｋ）に対応するタイミングにおいて適用される、ＳＣｅｌｌに関連付けられたＳＣｅｌｌディアクティベーションタイマ（sCellDeactivationTimer）に関連する動作である。
【００６５】
動作３は、サービングセルがアクティブとなるＳＣｅｌｌに対するアクティベーションコマンドを搬送するＰＤＳＣＨを受信したキャリアのスロット（ｎ＋ｋ）に対応するタイミング後の最も早いスロットにおいて適用される、ＳＣｅｌｌに対するアクティベーションコマンドを搬送するＰＤＳＣＨを受信したキャリアのスロット（ｎ＋ｋ）に対応するタイミングでアクティブでないサービングセルのＣＳＩ報告に関連する動作である。
【００６６】
ＳＣｅｌｌに対するアクティベーションコマンドに応じて当該ＳＣｅｌｌがアクティブ化された場合に適用される「対応する動作」として、ユーザ端末は、ＳＣｅｌｌでのＳＲＳの送信、ＳＣｅｌｌに対するＣＳＩ報告、ＳＣｅｌｌでのＰＤＣＣＨのモニタ、ＳＣｅｌｌに対するＰＤＣＣＨのモニタ、または、ＳＣｅｌｌでのＰＵＣＣＨの送信、のいずれかの動作を適用してもよい。
【００６７】
ユーザ端末が、ＳＣｅｌｌに対するアクティベーションコマンドを搬送するＰＤＳＣＨを受信したキャリアのスロットｎに対応するタイミングにおいて、ＳＣｅｌｌに対するディアクティベーションコマンド（たとえば、ＳＣｅｌｌの非アクティブ化を指示するＭＡＣ  ＣＥ）を受信する場合、または、当該ＳＣｅｌｌに関連付けられたＳＣｅｌｌディアクティベーションタイマ（sCellDeactivationTimer）が満了する場合、アクティベーションコマンドを搬送するＰＤＳＣＨを受信したキャリアのスロット（ｎ＋ｋ）に対応するタイミングにおいて適用されるアクティブなサービングセルのＣＳＩ報告に関連する動作を除いて、対応する動作が、定義された最小要件よりも遅くなく適用されてもよい。
【００６８】
ＳＣｅｌｌに対するディアクティベーションコマンドに応じて当該ＳＣｅｌｌが非アクティブ化された場合に適用される「対応する動作」として、ユーザ端末は、ＳＣｅｌｌでＳＲＳを送信しない、ＳＣｅｌｌに対するＣＳＩを送信しない、ＳＣｅｌｌでＵＬ−ＳＣＨ（ＵＬデータ、ＵＬトランスポートチャネル）を送信しない、ＳＣｅｌｌでＲＡＣＨを送信しない、ＳＣｅｌｌでＰＤＣＣＨをモニタしない、ＳＣｅｌｌに対するＰＤＣＣＨをモニタしない、または、ＳＣｅｌｌでＰＵＣＣＨを送信しない、のいずれかの動作を適用してもよい。
【００６９】
図４は、将来の無線通信システム（たとえば、ＮＲ）でキャリアアグリゲーションが設定された、サブキャリア間隔が異なる複数のキャリアにおいて、態様２−１に対応するＳＣｅｌｌアクティブ化／非アクティブ化のタイミングの一例を示す図である。
【００７０】
図４に示すように、ＣＣ１の所定のスロットにおいてＳＣｅｌｌに対するアクティベーションコマンドを含むＭＡＣ  ＣＥを搬送するＰＤＳＣＨが搬送され、ユーザ端末は当該ＰＤＳＣＨを受信する。図４に示すＣＣ１は、ＳＣｅｌｌに対するアクティベーションコマンドを搬送するＰＤＳＣＨを受信したキャリアに相当する。ユーザ端末は、当該ＣＣ１におけるスロットｎでアクティベーションコマンドを受信する。
【００７１】
ユーザ端末は、ＳＣｅｌｌに対するアクティベーションコマンドを搬送するＰＤＳＣＨを受信したキャリアであるＣＣ１のスロット（ｎ＋ｋ）において、ＳＣｅｌｌディアクティベーションタイマ（sCellDeactivationTimer）に関連する動作を開始する。
【００７２】
ユーザ端末は、ＰＣｅｌｌ／ＰＳＣｅｌｌ／ＰＵＣＣＨ−ＳＣｅｌｌにおける、ＳＣｅｌｌに対するアクティベーションコマンドを搬送するＰＤＳＣＨを受信したキャリアであるＣＣ１のスロット（ｎ＋ｋ）に対応するタイミング後の最も早いスロットにおいて、ＣＳＩ報告を開始する。
【００７３】
（態様２−２）
任意のキャリアでどのサブキャリア間隔が設定されている場合であっても、たとえば、ＣＳＩ報告およびＳＣｅｌｌディアクティベーションタイマ（sCellDeactivationTimer）に関連する動作は、ＳＣｅｌｌに対するアクティベーションコマンドによってアクティブ化されるＳＣｅｌｌのサブキャリア間隔に基づくスロットに対応するタイミングで開始されてもよい。
【００７４】
ユーザ端末が、ＳＣｅｌｌに対するアクティベーションコマンド（たとえば、ＳＣｅｌｌのアクティブ化を指示するＭＡＣ  ＣＥ）によってアクティブ化されるＳＣｅｌｌのスロットｎにおいて当該アクティベーションコマンドを受信した場合、定義された最小要件よりも遅くなく、かつ、ＳＣｅｌｌに対するアクティベーションコマンドによってアクティブ化されるＳＣｅｌｌのスロット（ｎ＋ｋ）に対応するタイミングより早くなく、次の動作１から動作３を除いて、対応する動作が適用されてもよい。
【００７５】
動作１は、ＳＣｅｌｌに対するアクティベーションコマンドによってアクティブ化されるＳＣｅｌｌのスロット（ｎ＋ｋ）に対応するタイミングにおける、アクティブなサービングセルのＣＳＩ報告に関連する動作である。
【００７６】
動作２は、ＳＣｅｌｌに対するアクティベーションコマンドによってアクティブ化されるＳＣｅｌｌのスロット（ｎ＋ｋ）に対応するタイミングにおいて適用される、ＳＣｅｌｌに関連付けられたＳＣｅｌｌディアクティベーションタイマ（sCellDeactivationTimer）に関連する動作である。
【００７７】
動作３は、サービングセルがアクティブとなるＳＣｅｌｌに対するアクティベーションコマンドによってアクティブ化されるＳＣｅｌｌのスロット（ｎ＋ｋ）に対応するタイミング後の最も早いスロットにおいて適用される、ＳＣｅｌｌに対するアクティベーションコマンドによってアクティブ化されるＳＣｅｌｌのスロット（ｎ＋ｋ）に対応するタイミングでアクティブでないサービングセルのＣＳＩ報告に関連する動作である。
【００７８】
ＳＣｅｌｌに対するアクティベーションコマンドに応じて当該ＳＣｅｌｌがアクティブ化された場合に適用される「対応する動作」として、ユーザ端末は、ＳＣｅｌｌでのＳＲＳの送信、ＳＣｅｌｌに対するＣＳＩ報告、ＳＣｅｌｌでのＰＤＣＣＨのモニタ、ＳＣｅｌｌに対するＰＤＣＣＨのモニタ、または、ＳＣｅｌｌでのＰＵＣＣＨの送信、のいずれかの動作を適用してもよい。
【００７９】
ユーザ端末が、ＳＣｅｌｌに対するアクティベーションコマンドによってアクティブ化されるＳＣｅｌｌのスロットｎに対応するタイミングにおいて、ＳＣｅｌｌに対するディアクティベーションコマンド（たとえば、ＳＣｅｌｌの非アクティブ化を指示するＭＡＣ  ＣＥ）を受信する場合、または、当該ＳＣｅｌｌに関連付けられたＳＣｅｌｌディアクティベーションタイマ（sCellDeactivationTimer）が満了する場合、ＳＣｅｌｌに対するアクティベーションコマンドによってアクティブ化されるＳＣｅｌｌのスロット（ｎ＋ｋ）に対応するタイミングにおいて適用されるアクティブなサービングセルのＣＳＩ報告に関連する動作を除いて、対応する動作が、定義された最小要件よりも遅くなく適用されてもよい。
【００８０】
ＳＣｅｌｌに対するディアクティベーションコマンドに応じて当該ＳＣｅｌｌが非アクティブ化された場合に適用される「対応する動作」として、ユーザ端末は、ＳＣｅｌｌでＳＲＳを送信しない、ＳＣｅｌｌに対するＣＳＩを送信しない、ＳＣｅｌｌでＵＬ−ＳＣＨ（ＵＬデータ、ＵＬトランスポートチャネル）を送信しない、ＳＣｅｌｌでＲＡＣＨを送信しない、ＳＣｅｌｌでＰＤＣＣＨをモニタしない、ＳＣｅｌｌに対するＰＤＣＣＨをモニタしない、または、ＳＣｅｌｌでＰＵＣＣＨを送信しない、のいずれかの動作を適用してもよい。
【００８１】
図５は、将来の無線通信システム（たとえば、ＮＲ）でキャリアアグリゲーションが設定された、サブキャリア間隔が異なる複数のキャリアにおいて、態様２−２に対応するＳＣｅｌｌアクティブ化／非アクティブ化のタイミングの一例を示す図である。
【００８２】
図５に示すように、ＣＣ１の所定のスロットにおいてＳＣｅｌｌに対するアクティベーションコマンドを含むＭＡＣ  ＣＥを搬送するＰＤＳＣＨが搬送され、ユーザ端末は当該ＰＤＳＣＨを受信する。図５に示すＳＣｅｌｌは、ＳＣｅｌｌに対するアクティベーションコマンドによってアクティブ化されるＳＣｅｌｌに相当する。ユーザ端末は、当該ＳＣｅｌｌにおけるスロットｎでアクティベーションコマンドを受信する。
【００８３】
ユーザ端末は、ＳＣｅｌｌに対するアクティベーションコマンドによってアクティブ化されるＳＣｅｌｌのスロット（ｎ＋ｋ）において、ＳＣｅｌｌディアクティベーションタイマ（sCellDeactivationTimer）に関連する動作を開始する。
【００８４】
ユーザ端末は、ＰＣｅｌｌ／ＰＳＣｅｌｌ／ＰＵＣＣＨ−ＳＣｅｌｌにおける、ＳＣｅｌｌに対するアクティベーションコマンドによってアクティブ化されるＳＣｅｌｌのスロット（ｎ＋ｋ）に対応するタイミング後の最も早いスロットにおいて、ＣＳＩ報告を開始する。
【００８５】
（態様２−３）
任意のキャリアでどのサブキャリア間隔が設定されている場合であっても、たとえば、ＣＳＩ報告およびＳＣｅｌｌディアクティベーションタイマ（sCellDeactivationTimer）に関連する動作は、アクティブ化されるＳＣｅｌｌのＰＵＣＣＨが設定されるキャリアのサブキャリア間隔に基づくスロットに対応するタイミングで開始されてもよい。
【００８６】
ユーザ端末が、アクティブ化されるＳＣｅｌｌのＰＵＣＣＨが設定されるキャリアのスロットｎにおいてＳＣｅｌｌに対するアクティベーションコマンド（たとえば、ＳＣｅｌｌのアクティブ化を指示するＭＡＣ  ＣＥ）を受信した場合、定義された最小要件よりも遅くなく、かつ、アクティブ化されるＳＣｅｌｌのＰＵＣＣＨが設定されるキャリアのスロット（ｎ＋ｋ）に対応するタイミングより早くなく、次の動作１から動作３を除いて、対応する動作が適用されてもよい。
【００８７】
動作１は、アクティブ化されるＳＣｅｌｌのＰＵＣＣＨが設定されるキャリアのスロット（ｎ＋ｋ）に対応するタイミングにおける、アクティブなサービングセルのＣＳＩ報告に関連する動作である。
【００８８】
動作２は、アクティブ化されるＳＣｅｌｌのＰＵＣＣＨが設定されるキャリアのスロット（ｎ＋ｋ）に対応するタイミングにおいて適用される、ＳＣｅｌｌに関連付けられたＳＣｅｌｌディアクティベーションタイマ（sCellDeactivationTimer）に関連する動作である。
【００８９】
動作３は、アクティブ化されるＳＣｅｌｌのＰＵＣＣＨが設定されるキャリアのスロット（ｎ＋ｋ）に対応するタイミング後の最も早いスロットにおいて適用される、アクティブ化されるＳＣｅｌｌのＰＵＣＣＨが設定されるキャリアのスロット（ｎ＋ｋ）に対応するタイミングでアクティブでないサービングセルのＣＳＩ報告に関連する動作である。
【００９０】
ＳＣｅｌｌに対するアクティベーションコマンドに応じて当該ＳＣｅｌｌがアクティブ化された場合に適用される「対応する動作」として、ユーザ端末は、ＳＣｅｌｌでのＳＲＳの送信、ＳＣｅｌｌに対するＣＳＩ報告、ＳＣｅｌｌでのＰＤＣＣＨのモニタ、ＳＣｅｌｌに対するＰＤＣＣＨのモニタ、または、ＳＣｅｌｌでのＰＵＣＣＨの送信、のいずれかの動作を適用してもよい。
【００９１】
ユーザ端末が、アクティブ化されるＳＣｅｌｌのＰＵＣＣＨが設定されるキャリアのスロットｎに対応するタイミングにおいて、ＳＣｅｌｌに対するディアクティベーションコマンド（たとえば、ＳＣｅｌｌの非アクティブ化を指示するＭＡＣ  ＣＥ）を受信する場合、または、当該ＳＣｅｌｌに関連付けられたＳＣｅｌｌディアクティベーションタイマ（sCellDeactivationTimer）が満了する場合、アクティブ化されるＳＣｅｌｌのＰＵＣＣＨが設定されるキャリアのスロット（ｎ＋ｋ）に対応するタイミングにおいて適用されるアクティブなサービングセルのＣＳＩ報告に関連する動作を除いて、対応する動作が、定義された最小要件よりも遅くなく適用されてもよい。
【００９２】
ＳＣｅｌｌに対するディアクティベーションコマンドに応じて当該ＳＣｅｌｌが非アクティブ化された場合に適用される「対応する動作」として、ユーザ端末は、ＳＣｅｌｌでＳＲＳを送信しない、ＳＣｅｌｌに対するＣＳＩを送信しない、ＳＣｅｌｌでＵＬ−ＳＣＨ（ＵＬデータ、ＵＬトランスポートチャネル）を送信しない、ＳＣｅｌｌでＲＡＣＨを送信しない、ＳＣｅｌｌでＰＤＣＣＨをモニタしない、ＳＣｅｌｌに対するＰＤＣＣＨをモニタしない、または、ＳＣｅｌｌでＰＵＣＣＨを送信しない、のいずれかの動作を適用してもよい。
【００９３】
図６は、将来の無線通信システム（たとえば、ＮＲ）でキャリアアグリゲーションが設定された、サブキャリア間隔が異なる複数のキャリアにおいて、態様２−３に対応するＳＣｅｌｌアクティブ化／非アクティブ化のタイミングの一例を示す図である。
【００９４】
図６に示すように、ＣＣ１の所定のスロットにおいてＳＣｅｌｌに対するアクティベーションコマンドを含むＭＡＣ  ＣＥを搬送するＰＤＳＣＨが搬送され、ユーザ端末は当該ＰＤＳＣＨを受信する。図６に示すＰＣｅｌｌ／ＰＳＣｅｌｌ／ＰＵＣＣＨ−ＳＣｅｌｌは、アクティブ化されるＳＣｅｌｌのＰＵＣＣＨが設定されるキャリアに相当する。ユーザ端末は、当該ＰＣｅｌｌ／ＰＳＣｅｌｌ／ＰＵＣＣＨ−ＳＣｅｌｌにおけるスロットｎに対応するタイミングで、アクティベーションコマンドを受信する。
【００９５】
ユーザ端末は、ＳＣｅｌｌにおける、アクティブ化されるＳＣｅｌｌのＰＵＣＣＨが設定されるキャリアであるＰＣｅｌｌ／ＰＳＣｅｌｌ／ＰＵＣＣＨ−ＳＣｅｌｌのスロット（ｎ＋ｋ）に対応するタイミング後の最も早いスロットで、ＳＣｅｌｌディアクティベーションタイマ（sCellDeactivationTimer）に関連する動作を開始する。
【００９６】
ユーザ端末は、アクティブ化されるＳＣｅｌｌのＰＵＣＣＨが設定されるキャリアであるＰＣｅｌｌ／ＰＳＣｅｌｌ／ＰＵＣＣＨ−ＳＣｅｌｌのスロット（ｎ＋ｋ）に対応するタイミング後の最も早いスロットで、ＣＳＩ報告を開始する。
【００９７】
（態様２−４）
ＳＣｅｌｌのアクティブ化／非アクティブ化のタイミングは、（１）ＳＣｅｌｌに対するアクティベーションコマンドまたはディアクティベーションコマンドを含むＭＡＣ  ＣＥを搬送するＰＤＳＣＨを搬送するキャリアのサブキャリア間隔、（２）ＳＣｅｌｌに対するアクティベーションコマンドまたはディアクティベーションコマンドを含むＭＡＣ  ＣＥによってアクティブ化されるＳＣｅｌｌのサブキャリア間隔、または、（３）アクティブ化されるＳＣｅｌｌのＰＵＣＣＨが設定されるキャリア（セル）のサブキャリア間隔のいずれかの組み合わせの処理遅延の最大値または最小値としてもよい。
【００９８】
ＳＣｅｌｌのアクティブ化／非アクティブ化のタイミングは、たとえば、（１）ＳＣｅｌｌに対するアクティベーションコマンドまたはディアクティベーションコマンドを含むＭＡＣ  ＣＥを搬送するＰＤＳＣＨを搬送するキャリアのサブキャリア間隔、および、（３）アクティブ化されるＳＣｅｌｌのＰＵＣＣＨが設定されるキャリアのサブキャリア間隔の処理遅延の最大値または最小値としてもよい。
【００９９】
ＳＣｅｌｌのアクティブ化／非アクティブ化のタイミングは、たとえば、（１）ＳＣｅｌｌに対するアクティベーションコマンドまたはディアクティベーションコマンドを含むＭＡＣ  ＣＥを搬送するＰＤＳＣＨを搬送するキャリアのサブキャリア間隔、および、（２）ＳＣｅｌｌに対するアクティベーションコマンドまたはディアクティベーションコマンドを含むＭＡＣ  ＣＥによってアクティブ化されるＳＣｅｌｌのサブキャリア間隔の処理遅延の最大値または最小値としてもよい。
【０１００】
ＳＣｅｌｌのアクティブ化／非アクティブ化のタイミングは、たとえば、（３）アクティブ化されるＳＣｅｌｌのＰＵＣＣＨが設定されるキャリアのサブキャリア間隔、および、（２）ＳＣｅｌｌに対するアクティベーションコマンドまたはディアクティベーションコマンドを含むＭＡＣ  ＣＥによってアクティブ化されるＳＣｅｌｌのサブキャリア間隔の処理遅延の最大値または最小値としてもよい。
【０１０１】
ＳＣｅｌｌのアクティブ化／非アクティブ化のタイミングは、たとえば、（１）ＳＣｅｌｌに対するアクティベーションコマンドまたはディアクティベーションコマンドを含むＭＡＣ  ＣＥを搬送するＰＤＳＣＨを搬送するキャリアのサブキャリア間隔、（２）ＳＣｅｌｌに対するアクティベーションコマンドまたはディアクティベーションコマンドを含むＭＡＣ  ＣＥによってアクティブ化されるＳＣｅｌｌのサブキャリア間隔、および、（３）アクティブ化されるＳＣｅｌｌのＰＵＣＣＨが設定されるキャリア（セル）のサブキャリア間隔の処理遅延の最大値または最小値としてもよい。
【０１０２】
ＳＣｅｌｌのアクティブ化／非アクティブ化のタイミングは、（１）ＳＣｅｌｌに対するアクティベーションコマンドまたはディアクティベーションコマンドを含むＭＡＣ  ＣＥを搬送するＰＤＳＣＨを搬送するキャリアのサブキャリア間隔、（２）ＳＣｅｌｌに対するアクティベーションコマンドまたはディアクティベーションコマンドを含むＭＡＣ  ＣＥによってアクティブ化されるＳＣｅｌｌのサブキャリア間隔、および、（３）アクティブ化されるＳＣｅｌｌのＰＵＣＣＨが設定されるキャリア（セル）のサブキャリア間隔の任意の組み合わせの関数としてもよい。
【０１０３】
たとえば、ＳＣｅｌｌのアクティブ化／非アクティブ化のタイミングの規定に関連するスロット（ｎ＋ｋ）におけるｋの値を、次の式（１）で定義してもよい。
【０１０４】
【数１】
2020017054.tif 000003
【０１０５】
ここで、ＮＴ，１は、追加のＰＤＳＣＨ  ＤＭ−ＲＳ（Demodulation  Reference  Signal）が設定されているか、または設定されていない場合の、ＰＤＳＣＨ処理能力１または２のためのＰＤＳＣＨ受信時間に対応するＮ１個のシンボルの持続時間である。
【０１０６】
ここで、ＮＴ，２は、ＣＳＩ処理能力１または２のためのＣＳＩ報告準備時間に対応するＮ２個のシンボルの持続時間である。
【０１０７】
ｎおよびＮｓｕｂｆｒａｍｅ，μｓｌｏｔは、（１）ＳＣｅｌｌに対するアクティベーションコマンドまたはディアクティベーションコマンドを含むＭＡＣ  ＣＥを搬送するＰＤＳＣＨを搬送するキャリアのサブキャリア間隔、（２）ＳＣｅｌｌに対するアクティベーションコマンドまたはディアクティベーションコマンドを含むＭＡＣ  ＣＥによってアクティブ化されるＳＣｅｌｌのサブキャリア間隔、および、（３）アクティブ化されるＳＣｅｌｌのＰＵＣＣＨが設定されるキャリア（セル）のサブキャリア間隔の任意の組み合わせのサブキャリア間隔の間の最小のサブキャリア間隔に関して決定される。
【０１０８】
ｄｅｌｔａは補正係数であり、タイミングアドバンス（ＴＡ：Timing  Advance）およびいくつかの他の遅延を含むことができる。
【０１０９】
第２の態様によれば、ＳＣｅｌｌのアクティブ化／非アクティブ化のタイミングを、任意のキャリアのサブキャリア間隔に依存する要件で処理できるため、ＳＣｅｌｌのアクティブ化／非アクティブ化のタイミングを明確に規定できる。
【０１１０】
（第３の態様）
第３の態様では、下り制御情報（ＤＣＩ：Downlink  Control  Information）によりＳＣｅｌｌのアクティブ化／非アクティブ化のタイミングが規定される態様について説明する。
【０１１１】
ＳＣｅｌｌは、異なるサブキャリア間隔を有する他のキャリア（セル）で送信されたＤＣＩによってアクティブ化／非アクティブ化することができる。非アクティブ化を指示するＤＣＩは、アクティブ化されたＳＣｅｌｌ自身で送信することもできる。
【０１１２】
ＤＣＩによるＳＣｅｌｌのアクティブ化／非アクティブ化のタイミングは、第１の態様および第２の態様で示した、ＭＡＣ  ＣＥによるＳＣｅｌｌのアクティブ化／非アクティブ化と同じであってもよい。
【０１１３】
ＤＣＩによるＳＣｅｌｌのアクティブ化／非アクティブ化のタイミングは、ＤＣＩによって示されてもよい。すなわち、ＳＣｅｌｌのアクティブ化／非アクティブ化のタイミングの規定に関連するスロット（ｎ＋ｋ）におけるｋの値が、ＤＣＩによって示されてもよい。ｋのサブキャリア間隔は、（１）アクティブ化／非アクティブ化されるＳＣｅｌｌのサブキャリア間隔、（２）アクティブ化／非アクティブ化を指示するＤＣＩを搬送するキャリア（セル）のサブキャリア間隔、および、（３）ＰＵＣＣＨセルのように、ＣＳＩ報告を送信するキャリア（セル）のサブキャリア間隔の任意の１つ、任意の組み合わせの最大値または最小値、もしくは、任意の組み合わせの関数に基づくことができる。
【０１１４】
ＤＣＩによって示されるｋの値が設定されない場合、ｋの初期値または上位レイヤによって設定されるｋが使用されてもよい。
【０１１５】
ＤＣＩによるＳＣｅｌｌのアクティブ化／非アクティブ化のタイミングに関して、ＳＣｅｌｌのアクティブ化に対する固定タイミングが規定されてもよい。
【０１１６】
ユーザ端末が、スロットｎでＳＣｅｌｌに対するアクティブ化を指示するＤＣＩを受信した場合、最小要件であるスロット（ｎ＋Ｍ）よりも遅くなく、かつ、スロット（ｎ＋ｋ）より早くなく、次の動作４から動作６を除いて、対応する動作が適用されてもよい。
【０１１７】
動作４は、スロット（ｎ＋ｋ）における、アクティブなサービングセルのＣＳＩ報告に関連する動作である。
【０１１８】
動作５は、スロット（ｎ＋ｋ）で適用される、ＳＣｅｌｌに関連付けられたＳＣｅｌｌディアクティベーションタイマ（sCellDeactivationTimer）に関連する動作である。
【０１１９】
動作６は、サービングセルがアクティブとなるスロット（ｎ＋ｋ）より後の最も早いスロットにおいて適用される、スロット（ｎ＋ｋ）においてアクティブでないサービングセルのＣＳＩ報告に関連する動作である。
【０１２０】
ユーザ端末が、スロットｎにおいて、ＳＣｅｌｌに対する非アクティブ化を指示するＤＣＩを受信する場合、または、当該ＳＣｅｌｌに関連付けられたＳＣｅｌｌディアクティベーションタイマ（sCellDeactivationTimer）が満了する場合、スロット（ｎ＋ｋ）で適用されるアクティブなサービングセルのＣＳＩ報告に関連する動作を除いて、対応する動作が、最小要件であるスロット（ｎ＋Ｍ）よりも遅くなく適用されてもよい。
【０１２１】
図７は、ＤＣＩによるＳＣｅｌｌのアクティブ化／非アクティブ化のタイミングの一例を示す図である。
【０１２２】
図７Ａに示すように、ＤＣＩに基づいたデータのスケジューリングを伴わないＳＣｅｌｌアクティブ化において、ｋは、ＰＤＣＣＨ処理時間およびＳＣｅｌｌの調整のための準備時間を満たしてもよい。
【０１２３】
図７Ｂに示すように、ＤＣＩに基づいたデータのスケジューリングを伴うＳＣｅｌｌのアクティブ化において、ｋは、ＰＤＣＣＨ処理時間、ＳＣｅｌｌの調整のための準備時間およびＰＤＳＣＨ受信またはＰＵＳＣＨ送信のための準備時間を満たしてもよい。
【０１２４】
ＤＣＩによるＳＣｅｌｌのアクティブ化／非アクティブ化のタイミングに関して、ＳＣｅｌｌのアクティブ化に対する固定タイミングが、ＤＣＩによって動的に指示されてもよい。
【０１２５】
たとえば、ＳＣｅｌｌのアクティブ化の開始時間を指示するために、アクティブ化を指示するＤＣＩ（ＤＬアサインメントまたはＵＬグラント）内の時間ドメインリソース割り当てフィールドが再利用されてもよい。
【０１２６】
図８は、ＤＣＩによるＳＣｅｌｌのアクティブ化／非アクティブ化のタイミングの一例を示す図である。
【０１２７】
図８Ａに示すように、ユーザ端末は、ＳＣｅｌｌのアクティブ化を指示するスロットｎにおけるＤＬアサインメント内の時間ドメインリソース割り当てフィールド（開始および長さインジケータ値、ＳＬＩＶ：Start  and  Length  Indicator  Value）によって指示されるスロットオフセットＫ０（＝ｋ）に基づいて、ＳＣｅｌｌのアクティブ化の開始タイミングであるスロット（ｎ＋ｋ）を決定してもよい。
【０１２８】
図８Ｂに示すように、ユーザ端末は、ＳＣｅｌｌのアクティブ化を指示するスロットｎにおけるＵＬグラント内の時間ドメインリソース割り当てフィールド（ＳＬＩＶ）によって指示されるスロットオフセットＫ２（＝ｋ）に基づいて、ＳＣｅｌｌのアクティブ化の開始タイミングであるスロット（ｎ＋ｋ）を決定してもよい。
【０１２９】
第３の態様によれば、ユーザ端末および基地局は、ＤＣＩによりＳＣｅｌｌのアクティブ化／非アクティブ化のタイミングを明確に規定できる。
【０１３０】
（無線通信システム）
以下、本実施の形態に係る無線通信システムの構成について説明する。この無線通信システムでは、上記実施の形態に係る無線通信方法が適用される。
【０１３１】
図９は、本実施の形態に係る無線通信システムの概略構成の一例を示す図である。無線通信システム１では、ＬＴＥシステムのシステム帯域幅（たとえば、２０ＭＨｚ）を１単位とする複数の基本周波数ブロック（コンポーネントキャリア）を一体としたキャリアアグリゲーション（ＣＡ）またはデュアルコネクティビティ（ＤＣ）を適用することができる。無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  Radio）などと呼ばれてもよい。
【０１３２】
無線通信システム１は、マクロセルＣ１を形成する基地局１１と、マクロセルＣ１内に配置され、マクロセルＣ１よりも狭いスモールセルＣ２を形成する基地局１２ａから１２ｃと、を備えている。マクロセルＣ１および各スモールセルＣ２には、ユーザ端末２０が配置されている。セル間で異なるニューメロロジーが適用される構成としてもよい。ニューメロロジーとは、あるＲＡＴにおける信号のデザインや、ＲＡＴのデザインを特徴付ける通信パラメータのセットのことをいう。
【０１３３】
ユーザ端末２０は、基地局１１および基地局１２の双方に接続することができる。ユーザ端末２０は、異なる周波数を用いるマクロセルＣ１とスモールセルＣ２を、キャリアアグリゲーション（ＣＡ）またはデュアルコネクティビティ（ＤＣ）により同時に使用することが想定される。ユーザ端末２０は、複数のセル（ＣＣ）（たとえば、２個以上のＣＣ）を用いてキャリアアグリゲーション（ＣＡ）またはデュアルコネクティビティ（ＤＣ）を適用することができる。ユーザ端末は、複数のセルとしてライセンスドバンドＣＣとアンライセンスドバンドＣＣを利用することができる。複数のセルのいずれかに短縮ＴＴＩを適用するＴＤＤキャリアが含まれる構成とすることができる。
【０１３４】
ユーザ端末２０と基地局１１との間は、相対的に低い周波数帯域（たとえば、２ＧＨｚ）で帯域幅が狭いキャリア（既存キャリア、Legacy  carrierなどと呼ばれる）を用いて通信を行うことができる。ユーザ端末２０と基地局１２との間は、相対的に高い周波数帯域（たとえば、３．５ＧＨｚ、５ＧＨｚ、３０から７０ＧＨｚなど）で帯域幅が広いキャリアが用いられてもよいし、基地局１１との間と同じキャリアが用いられてもよい。各基地局が利用する周波数帯域の構成はこれに限られない。
【０１３５】
基地局１１と基地局１２との間（または、２つの基地局１２の間）は、有線接続（たとえば、ＣＰＲＩ（Common  Public  Radio  Interface）に準拠した光ファイバ、Ｘ２インターフェースなど）または無線接続する構成とすることができる。
【０１３６】
基地局１１および各基地局１２は、それぞれ上位局装置３０に接続され、上位局装置３０を介してコアネットワーク４０に接続される。上位局装置３０には、たとえば、アクセスゲートウェイ装置、無線ネットワークコントローラ（ＲＮＣ）、モビリティマネジメントエンティティ（ＭＭＥ）などが含まれるが、これに限定されるものではない。各基地局１２は、基地局１１を介して上位局装置３０に接続されてもよい。
【０１３７】
基地局１１は、相対的に広いカバレッジを有する基地局であり、マクロ基地局、集約ノード、ｅＮＢ（eNodeB）、送受信ポイント、などと呼ばれてもよい。基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１および１２を区別しない場合は、基地局１０と総称する。
【０１３８】
各ユーザ端末２０は、ＬＴＥ、ＬＴＥ−Ａ等の各種通信方式に対応した端末であり、移動通信端末だけでなく固定通信端末を含んでもよい。
【０１３９】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つまたは連続したリソースブロックからなる帯域に分割し、複数の端末が互いに異なる帯域を用いることで、端末間の干渉を低減するシングルキャリア伝送方式である。上りおよび下りの無線アクセス方式は、これらの組み合わせに限られず、ＵＬでＯＦＤＭＡが用いられてもよい。
【０１４０】
無線通信システム１では、ＤＬチャネルとして、各ユーザ端末２０で共有される下りデータチャネル（ＰＤＳＣＨ：Physical  Downlink  Shared  Channel、下り共有チャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ユーザデータや上位レイヤ制御情報、ＳＩＢ（System  Information  Block）などが伝送される。ＰＢＣＨにより、ＭＩＢ（Master  Information  Block）が伝送される。
【０１４１】
Ｌ１／Ｌ２制御チャネルは、下り制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨおよびＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認情報（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩ等の伝送に用いられる。
【０１４２】
無線通信システム１では、ＵＬチャネルとして、各ユーザ端末２０で共有される上りデータチャネル（ＰＵＳＣＨ：Physical  Uplink  Shared  Channel、上り共有チャネル等ともいう）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。送達確認情報（ＡＣＫ／ＮＡＣＫ）や無線品質情報（ＣＱＩ）などの少なくとも１つを含む上り制御情報（ＵＣＩ：Uplink  Control  Information）は、ＰＵＳＣＨまたはＰＵＣＣＨにより、伝送される。ＰＲＡＣＨにより、セルとの接続確立のためのランダムアクセスプリアンブルが伝送される。
【０１４３】
＜基地局＞
図１０は、本実施の形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。送受信アンテナ１０１、アンプ部１０２、送受信部１０３は、それぞれ１つ以上を含むように構成されればよい。基地局１０は、下りデータの送信装置であり、上りデータの受信装置であってもよい。
【０１４４】
基地局１０からユーザ端末２０に送信される下りデータは、上位局装置３０から伝送路インターフェース１０６を介してベースバンド信号処理部１０４に入力される。
【０１４５】
ベースバンド信号処理部１０４では、下りデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（たとえば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。下り制御信号に関しても、チャネル符号化や逆高速フーリエ変換などの送信処理が行われて、送受信部１０３に転送される。
【０１４６】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路または送受信装置から構成することができる。送受信部１０３は、一体の送受信部として構成されてもよいし、送信部および受信部から構成されてもよい。
【０１４７】
上り信号については、送受信アンテナ１０１で受信された無線周波数信号がアンプ部１０２で増幅される。送受信部１０３は、アンプ部１０２で増幅された上り信号を受信する。送受信部１０３は、受信信号をベースバンド信号に周波数変換して、ベースバンド信号処理部１０４に出力する。
【０１４８】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤおよびＰＤＣＰレイヤの受信処理がなされ、伝送路インターフェース１０６を介して上位局装置３０に転送される。呼処理部１０５は、通信チャネルの設定や解放などの呼処理、基地局１０の状態管理、および、無線リソースの管理を行う。
【０１４９】
伝送路インターフェース１０６は、所定のインターフェースを介して、上位局装置３０と信号を送受信する。伝送路インターフェース１０６は、基地局間インターフェース（たとえば、ＣＰＲＩ（Common  Public  Radio  Interface）に準拠した光ファイバ、Ｘ２インターフェース）を介して他の基地局１０と信号を送受信（バックホールシグナリング）してもよい。
【０１５０】
送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（たとえば、位相シフタ、位相シフト回路）またはアナログビームフォーミング装置（たとえば、位相シフト器）から構成することができる。送受信アンテナ１０１は、たとえばアレーアンテナにより構成することができる。送受信部１０３は、シングルＢＦ、マルチＢＦを適用できるように構成されている。
【０１５１】
送受信部１０３は、送信ビームを用いて信号を送信してもよいし、受信ビームを用いて信号を受信してもよい。送受信部１０３は、制御部３０１によって決定された所定のビームを用いて信号を送信および受信してもよい。
【０１５２】
送受信部１０３は、下り信号（たとえば、下り制御信号（下り制御チャネル）、下りデータ信号（下りデータチャネル、下り共有チャネル）、下り参照信号（ＤＭ−ＲＳ、ＣＳＩ−ＲＳ等）、ディスカバリ信号、同期信号、ブロードキャスト信号など）を送信する。送受信部１０３は、上り信号（たとえば、上り制御信号（上り制御チャネル）、上りデータ信号（上りデータチャネル、上り共有チャネル）、上り参照信号など）を受信する。
【０１５３】
送受信部１０３は、ユーザ端末２０に、所定セル（たとえば、ＳＣｅｌｌ）に対するアクティベーションコマンドまたはディアクティベーションコマンドを送信してもよい。
【０１５４】
本発明の送信部および受信部は、送受信部１０３と伝送路インターフェース１０６の両方、またはいずれか一方により構成される。
【０１５５】
図１１は、本実施の形態に係る基地局の機能構成の一例を示す図である。この図では、本実施形態における特徴部分の機能ブロックを主に示しており、基地局１０は、無線通信に必要な他の機能ブロックも有しているものとする。ベースバンド信号処理部１０４は、制御部３０１と、送信信号生成部３０２と、マッピング部３０３と、受信信号処理部３０４と、測定部３０５と、を少なくとも備えている。
【０１５６】
制御部３０１は、基地局１０全体の制御を実施する。制御部３０１は、本発明に係る技術分野での共通認識に基づいて説明されるコントローラ、制御回路または制御装置から構成することができる。
【０１５７】
制御部３０１は、たとえば、送信信号生成部３０２による信号の生成や、マッピング部３０３による信号の割り当てを制御する。制御部３０１は、受信信号処理部３０４による信号の受信処理や、測定部３０５による信号の測定を制御する。
【０１５８】
制御部３０１は、下り信号および上り信号のスケジューリング（たとえば、リソース割り当て）を制御する。具体的には、制御部３０１は、下りデータチャネルのスケジューリング情報を含むＤＣＩ（ＤＬアサインメント、ＤＬグラント）、上りデータチャネルのスケジューリング情報を含むＤＣＩ（ＵＬグラント）を生成および送信するように、送信信号生成部３０２、マッピング部３０３および送受信部１０３を制御する。
【０１５９】
制御部３０１は、所定セル（たとえば、ＳＣｅｌｌ）のアクティブ化／非アクティブ化を決定してもよい。
【０１６０】
送信信号生成部３０２は、制御部３０１からの指示に基づいて、下り信号（下り制御チャネル、下りデータチャネル、ＤＭ−ＲＳ等の下り参照信号など）を生成して、マッピング部３０３に出力する。送信信号生成部３０２は、本発明に係る技術分野での共通認識に基づいて説明される信号生成器、信号生成回路または信号生成装置から構成することができる。
【０１６１】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路またはマッピング装置から構成することができる。
【０１６２】
受信信号処理部３０４は、送受信部１０３から入力された受信信号に対して、受信処理（たとえば、デマッピング、復調、復号など）を行う。たとえば、受信信号は、ユーザ端末２０から送信される上り信号（上り制御チャネル、上りデータチャネル、上り参照信号など）である。受信信号処理部３０４は、本発明に係る技術分野での共通認識に基づいて説明される信号処理器、信号処理回路または信号処理装置から構成することができる。
【０１６３】
受信信号処理部３０４は、受信処理により復号された情報を制御部３０１に出力する。たとえば、受信処理部３０４は、プリアンブル、制御情報、ＵＬデータの少なくとも１つを制御部３０１に出力する。また、受信信号処理部３０４は、受信信号および受信処理後の信号を、測定部３０５に出力する。
【０１６４】
測定部３０５は、受信した信号に関する測定を実施する。測定部３０５は、本発明に係る技術分野での共通認識に基づいて説明される測定器、測定回路または測定装置から構成することができる。
【０１６５】
測定部３０５は、たとえば、受信した信号の受信電力（たとえば、ＲＳＲＰ（Reference  Signal  Received  Power））、受信品質（たとえば、ＲＳＲＱ（Reference  Signal  Received  Quality））やチャネル状態等について測定してもよい。測定結果は、制御部３０１に出力されてもよい。
【０１６６】
＜ユーザ端末＞
図１２は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。送受信アンテナ２０１、アンプ部２０２、送受信部２０３は、それぞれ１つ以上を含むように構成されればよい。ユーザ端末２０は、下りデータの受信装置であり、上りデータの送信装置であってもよい。
【０１６７】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路または送受信装置から構成することができる。送受信部２０３は、一体の送受信部として構成されてもよいし、送信部および受信部から構成されてもよい。
【０１６８】
ベースバンド信号処理部２０４は、入力されたベースバンド信号に対して、ＦＦＴ処理や、誤り訂正復号、再送制御の受信処理などを行う。下りデータは、アプリケーション部２０５に転送される。アプリケーション部２０５は、物理レイヤやＭＡＣレイヤより上位のレイヤに関する処理などを行う。下りデータのうち、システム情報や上位レイヤ制御情報もアプリケーション部２０５に転送される。
【０１６９】
上りリンクのユーザデータは、アプリケーション部２０５からベースバンド信号処理部２０４に入力される。ベースバンド信号処理部２０４では、再送制御の送信処理（たとえば、ＨＡＲＱの送信処理）や、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１７０】
送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（たとえば、位相シフタ、位相シフト回路）またはアナログビームフォーミング装置（たとえば、位相シフト器）から構成することができる。送受信アンテナ２０１は、たとえばアレーアンテナにより構成することができる。送受信部２０３は、シングルＢＦ、マルチＢＦを適用できるように構成されている。
【０１７１】
送受信部２０３は、送信ビームを用いて信号を送信してもよいし、受信ビームを用いて信号を受信してもよい。送受信部２０３は、制御部４０１によって決定された所定のビームを用いて信号を送信および受信してもよい。
【０１７２】
送受信部２０３は、下り信号（たとえば、下り制御信号（下り制御チャネル）、下りデータ信号（下りデータチャネル、下り共有チャネル）、下り参照信号（ＤＭ−ＲＳ、ＣＳＩ−ＲＳ等）、ディスカバリ信号、同期信号、報知信号など）を受信する。送受信部２０３は、上り信号（たとえば、上り制御信号（上り制御チャネル）、上りデータ信号（上りデータチャネル、上り共有チャネル）、上り参照信号など）を送信する。
【０１７３】
送受信部２０３は、所定セル（たとえば、ＳＣｅｌｌ）に対するアクティベーションコマンドまたはディアクティベーションコマンドを受信してもよい。
【０１７４】
図１３は、本実施の形態に係るユーザ端末の機能構成の一例を示す図である。この図では、本実施の形態における特徴部分の機能ブロックを主に示しており、ユーザ端末２０は、無線通信に必要な他の機能ブロックも有しているものとする。ユーザ端末２０が有するベースバンド信号処理部２０４は、制御部４０１と、送信信号生成部４０２と、マッピング部４０３と、受信信号処理部４０４と、測定部４０５と、を少なくとも備えている。
【０１７５】
制御部４０１は、ユーザ端末２０全体の制御を実施する。制御部４０１は、本発明に係る技術分野での共通認識に基づいて説明されるコントローラ、制御回路または制御装置から構成することができる。
【０１７６】
制御部４０１は、たとえば、送信信号生成部４０２による信号の生成や、マッピング部４０３による信号の割り当てを制御する。制御部４０１は、受信信号処理部４０４による信号の受信処理や、測定部４０５による信号の測定を制御する。
【０１７７】
制御部４０１は、所定セル（たとえば、ＳＣｅｌｌ）に対するアクティベーションコマンドまたはディアクティベーションコマンドを送信したキャリアのサブキャリア間隔に依存しないタイミングで、当該アクティベーションコマンドまたはディアクティベーションの受信に対応する動作を適用してもよい。
【０１７８】
当該タイミングは、所定セル（たとえば、ＳＣｅｌｌ）に対するアクティベーションコマンドまたはディアクティベーションコマンドを受信してからｋ［ｍｓ］後であってもよい。当該タイミングは、所定セル（たとえば、ＳＣｅｌｌ）に対するアクティベーションコマンドまたはディアクティベーションコマンドを受信してからｋ［ｍｓ］後の所定セル（たとえば、ＳＣｅｌｌ）のサブキャリア間隔に基づく最初のスロットであってもよい。当該タイミングは、所定セル（たとえば、ＳＣｅｌｌ）に対するアクティベーションコマンドまたはディアクティベーションコマンドを受信してからｋ［ｍｓ］後の最初のサブフレームの最初のスロットであってもよい。
【０１７９】
当該タイミングは、所定セル（たとえば、ＳＣｅｌｌ）のサブキャリア間隔に依存してもよい。当該タイミングは、所定セル（たとえば、ＳＣｅｌｌ）の上り制御チャネル（ＰＵＣＣＨ）が設定されるキャリアのサブキャリア間隔に依存してもよい。
【０１８０】
送信信号生成部４０２は、制御部４０１からの指示に基づいて、上り信号（上り制御チャネル、上りデータチャネル、上り参照信号など）を生成して、マッピング部４０３に出力する。送信信号生成部４０２は、本発明に係る技術分野での共通認識に基づいて説明される信号生成器、信号生成回路または信号生成装置から構成することができる。
【０１８１】
送信信号生成部４０２は、制御部４０１からの指示に基づいて上りデータチャネルを生成する。たとえば、送信信号生成部４０２は、基地局１０から通知される下り制御チャネルにＵＬグラントが含まれている場合に、制御部４０１から上りデータチャネルの生成を指示される。
【０１８２】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路またはマッピング装置から構成することができる。
【０１８３】
受信信号処理部４０４は、送受信部２０３から入力された受信信号に対して、受信処理（たとえば、デマッピング、復調、復号など）を行う。たとえば、受信信号は、基地局１０から送信される下り信号（下り制御チャネル、下りデータチャネル、下り参照信号など）である。受信信号処理部４０４は、本発明に係る技術分野での共通認識に基づいて説明される信号処理器、信号処理回路または信号処理装置から構成することができる。受信信号処理部４０４は、本発明に係る受信部を構成することができる。
【０１８４】
受信信号処理部４０４は、制御部４０１の指示に基づいて、下りデータチャネルの送信および受信をスケジューリングする下り制御チャネルをブラインド復号し、当該ＤＣＩに基づいて下りデータチャネルの受信処理を行う。受信信号処理部４０４は、ＤＭ−ＲＳまたはＣＲＳに基づいてチャネル利得を推定し、推定されたチャネル利得に基づいて、下りデータチャネルを復調する。
【０１８５】
受信信号処理部４０４は、受信処理により復号された情報を制御部４０１に出力する。受信信号処理部４０４は、たとえば、報知情報、システム情報、ＲＲＣシグナリング、ＤＣＩなどを、制御部４０１に出力する。受信信号処理部４０４は、データの復号結果を制御部４０１に出力してもよい。受信信号処理部４０４は、受信信号や、受信処理後の信号を、測定部４０５に出力する。
【０１８６】
測定部４０５は、受信した信号に関する測定を実施する。測定部４０５は、本発明に係る技術分野での共通認識に基づいて説明される測定器、測定回路または測定装置から構成することができる。
【０１８７】
測定部４０５は、たとえば、受信した信号の受信電力（たとえば、ＲＳＲＰ）、ＤＬ受信品質（たとえば、ＲＳＲＱ）やチャネル状態などについて測定してもよい。測定結果は、制御部４０１に出力されてもよい。
【０１８８】
（ハードウェア構成）
上記実施形態の説明に用いたブロック図は、機能単位のブロックを示している。これらの機能ブロック（構成部）は、ハードウェアおよびソフトウェアの少なくとも一方の任意の組み合わせによって実現される。各機能ブロックの実現方法は特に限定されない。すなわち、各機能ブロックは、物理的または論理的に結合した１つの装置を用いて実現されてもよいし、物理的または論理的に分離した２つ以上の装置を直接的または間接的に（たとえば、有線、無線などを用いて）接続し、これら複数の装置を用いて実現されてもよい。機能ブロックは、上記１つの装置または上記複数の装置にソフトウェアを組み合わせて実現されてもよい。
【０１８９】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）、送信機（transmitter）などと呼称されてもよい。いずれも、上述したとおり、実現方法は特に限定されない。
【０１９０】
たとえば、本開示の一実施形態における基地局、ユーザ端末などは、本開示の無線通信方法の処理を行うコンピュータとして機能してもよい。図１４は、一実施形態に係る基地局およびユーザ端末のハードウェア構成の一例を示す図である。上述の基地局１０およびユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９１】
以下の説明では、「装置」という文言は、回路、デバイス、ユニットなどに読み替えることができる。基地局１０およびユーザ端末２０のハードウェア構成は、図に示した各装置を１つまたは複数含むように構成されてもよいし、一部の装置を含まずに構成されてもよい。
【０１９２】
たとえば、プロセッサ１００１は１つだけ図示されているが、複数のプロセッサがあってもよい。処理は、１のプロセッサによって実行されてもよいし、処理が同時に、逐次に、またはその他の手法を用いて、２以上のプロセッサによって実行されてもよい。プロセッサ１００１は、１以上のチップによって実装されてもよい。
【０１９３】
基地局１０およびユーザ端末２０における各機能は、たとえば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２およびストレージ１００３におけるデータの読み出しおよび書き込みの少なくとも一方を制御したりすることによって実現される。
【０１９４】
プロセッサ１００１は、たとえば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。たとえば、上述のベースバンド信号処理部１０４（２０４）、呼処理部１０５などは、プロセッサ１００１によって実現されてもよい。
【０１９５】
プロセッサ１００１は、プログラム（プログラムコード）、ソフトウェアモジュール、データなどを、ストレージ１００３および通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。たとえば、ユーザ端末２０の制御部４０１は、メモリ１００２に格納され、プロセッサ１００１において動作する制御プログラムによって実現されてもよく、他の機能ブロックについても同様に実現されてもよい。
【０１９６】
メモリ１００２は、コンピュータ読み取り可能な記録媒体であり、たとえば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１９７】
ストレージ１００３は、コンピュータ読み取り可能な記録媒体であり、たとえば、フレキシブルディスク、フロッピー（登録商標）ディスク、光磁気ディスク（たとえば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（たとえば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１９８】
通信装置１００４は、有線ネットワークおよび無線ネットワークの少なくとも一方を介してコンピュータ間の通信を行うためのハードウェア（送受信デバイス）であり、たとえばネットワークデバイス、ネットワークコントローラ、ネットワークカード、通信モジュールなどともいう。通信装置１００４は、たとえば周波数分割複信（ＦＤＤ：Frequency  Division  Duplex）および時分割複信（ＴＤＤ：Time  Division  Duplex）の少なくとも一方を実現するために、高周波スイッチ、デュプレクサ、フィルタ、周波数シンセサイザなどを含んで構成されてもよい。たとえば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的にまたは論理的に分離された実装がなされてもよい。
【０１９９】
入力装置１００５は、外部からの入力を受け付ける入力デバイス（たとえば、キーボード、マウス、マイクロフォン、スイッチ、ボタン、センサなど）である。出力装置１００６は、外部への出力を実施する出力デバイス（たとえば、ディスプレイ、スピーカー、ＬＥＤ（Light  Emitting  Diode）ランプなど）である。入力装置１００５および出力装置１００６は、一体となった構成（たとえば、タッチパネル）であってもよい。
【０２００】
プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２０１】
基地局１０およびユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部または全てが実現されてもよい。たとえば、プロセッサ１００１は、これらのハードウェアの少なくとも１つを用いて実装されてもよい。
【０２０２】
（変形例）
本開示において説明した用語および本開示の理解に必要な用語については、同一のまたは類似する意味を有する用語と置き換えてもよい。たとえば、チャネルおよびシンボルの少なくとも一方は信号（シグナリング）であってもよい。信号はメッセージであってもよい。参照信号は、ＲＳ（Reference  Signal）と略称することもでき、適用される標準によってパイロット（Pilot）、パイロット信号などと呼ばれてもよい。コンポーネントキャリア（ＣＣ：Component  Carrier）は、セル、周波数キャリア、キャリア周波数などと呼ばれてもよい。
【０２０３】
無線フレームは、時間領域において１つまたは複数の期間（フレーム）によって構成されてもよい。無線フレームを構成する当該１つまたは複数の各期間（フレーム）は、サブフレームと呼ばれてもよい。さらに、サブフレームは、時間領域において１つまたは複数のスロットによって構成されてもよい。サブフレームは、ニューメロロジー（numerology）に依存しない固定の時間長（たとえば、１ｍｓ）であってもよい。
【０２０４】
ここで、ニューメロロジーとは、ある信号またはチャネルの送信および受信の少なくとも一方に適用される通信パラメータであってもよい。たとえば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２０５】
スロットは、時間領域において１つまたは複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。スロットは、ニューメロロジーに基づく時間単位であってもよい。
【０２０６】
スロットは、複数のミニスロットを含んでもよい。各ミニスロットは、時間領域において１つまたは複数のシンボルによって構成されてもよい。ミニスロットは、サブスロットと呼ばれてもよい。ミニスロットは、スロットよりも少ない数のシンボルによって構成されてもよい。ミニスロットより大きい時間単位で送信されるＰＤＳＣＨ（またはＰＵＳＣＨ）は、ＰＤＳＣＨ（ＰＵＳＣＨ）マッピングタイプＡと呼ばれてもよい。ミニスロットを用いて送信されるＰＤＳＣＨ（またはＰＵＳＣＨ）は、ＰＤＳＣＨ（ＰＵＳＣＨ）マッピングタイプＢと呼ばれてもよい。
【０２０７】
無線フレーム、サブフレーム、スロット、ミニスロットおよびシンボルは、いずれも信号を伝送する際の時間単位を表す。無線フレーム、サブフレーム、スロット、ミニスロットおよびシンボルは、それぞれに対応する別の呼称が用いられてもよい。
【０２０８】
たとえば、１サブフレームは送信時間間隔（ＴＴＩ：Transmission  Time  Interval）と呼ばれてもよいし、複数の連続したサブフレームがＴＴＩと呼ばれてよいし、１スロットまたは１ミニスロットがＴＴＩと呼ばれてもよい。つまり、サブフレームおよびＴＴＩの少なくとも一方は、既存のＬＴＥにおけるサブフレーム（１ｍｓ）であってもよいし、１ｍｓより短い期間（たとえば、１−１３シンボル）であってもよいし、１ｍｓより長い期間であってもよい。ＴＴＩを表す単位は、サブフレームではなくスロット、ミニスロットなどと呼ばれてもよい。
【０２０９】
ここで、ＴＴＩは、たとえば、無線通信におけるスケジューリングの最小時間単位のことをいう。たとえば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。ＴＴＩの定義はこれに限られない。
【０２１０】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。ＴＴＩが与えられたとき、実際にトランスポートブロック、コードブロック、コードワードなどがマッピングされる時間区間（たとえば、シンボル数）は、当該ＴＴＩよりも短くてもよい。
【０２１１】
１スロットまたは１ミニスロットがＴＴＩと呼ばれる場合、１以上のＴＴＩ（すなわち、１以上のスロットまたは１以上のミニスロット）が、スケジューリングの最小時間単位となってもよい。当該スケジューリングの最小時間単位を構成するスロット数（ミニスロット数）は制御されてもよい。
【０２１２】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partialまたはfractional  TTI）、短縮サブフレーム、ショートサブフレーム、ミニスロット、サブスロット、スロットなどと呼ばれてもよい。
【０２１３】
ロングＴＴＩ（たとえば、通常ＴＴＩ、サブフレームなど）は、１ｍｓを超える時間長を有するＴＴＩで読み替えてもよいし、ショートＴＴＩ（たとえば、短縮ＴＴＩなど）は、ロングＴＴＩのＴＴＩ長未満かつ１ｍｓ以上のＴＴＩ長を有するＴＴＩで読み替えてもよい。
【０２１４】
リソースブロック（ＲＢ：Resource  Block）は、時間領域および周波数領域のリソース割当単位であり、周波数領域において、１つまたは複数個の連続した副搬送波（サブキャリア（subcarrier））を含んでもよい。
【０２１５】
ＲＢは、時間領域において、１つまたは複数個のシンボルを含んでもよく、１スロット、１ミニスロット、１サブフレームまたは１ＴＴＩの長さであってもよい。１ＴＴＩ、１サブフレームは、それぞれ１つまたは複数のリソースブロックによって構成されてもよい。
【０２１６】
１つまたは複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２１７】
リソースブロックは、１つまたは複数のリソースエレメント（ＲＥ：Resource  Element）によって構成されてもよい。たとえば、１ＲＥは、１サブキャリアおよび１シンボルの無線リソース領域であってもよい。
【０２１８】
上述した無線フレーム、サブフレーム、スロット、ミニスロットおよびシンボルなどの構造は例示に過ぎない。たとえば、無線フレームに含まれるサブフレームの数、サブフレームまたは無線フレームあたりのスロットの数、スロット内に含まれるミニスロットの数、スロットまたはミニスロットに含まれるシンボルおよびＲＢの数、ＲＢに含まれるサブキャリアの数、ならびにＴＴＩ内のシンボル数、シンボル長、サイクリックプレフィックス（ＣＰ：Cyclic  Prefix）長などの構成は、様々に変更することができる。
【０２１９】
本開示において説明した情報、パラメータなどは、絶対値を用いて表されてもよいし、所定の値からの相対値を用いて表されてもよいし、対応する別の情報を用いて表されてもよい。たとえば、無線リソースは、所定のインデックスによって指示されてもよい。
【０２２０】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）および情報要素は、あらゆる好適な名称によって識別できるので、これらの様々なチャネルおよび情報要素に割り当てている様々な名称は、いかなる点においても限定的な名称ではない。
【０２２１】
本開示において説明した情報、信号などは、様々な異なる技術のいずれかを使用して表されてもよい。たとえば、上記の説明全体に渡って言及され得るデータ、命令、コマンド、情報、信号、ビット、シンボル、チップなどは、電圧、電流、電磁波、磁界若しくは磁性粒子、光場若しくは光子、またはこれらの任意の組み合わせによって表されてもよい。
【０２２２】
情報、信号などは、上位レイヤから下位レイヤおよび下位レイヤから上位レイヤの少なくとも一方へ出力され得る。情報、信号などは、複数のネットワークノードを介して入出力されてもよい。
【０２２３】
入出力された情報、信号などは、特定の場所（たとえば、メモリ）に保存されてもよいし、管理テーブルを用いて管理してもよい。入出力される情報、信号などは、上書き、更新または追記をされ得る。出力された情報、信号などは、削除されてもよい。入力された情報、信号などは、他の装置へ送信されてもよい。
【０２２４】
情報の通知は、本開示において説明した態様／実施形態に限られず、他の方法を用いて行われてもよい。たとえば、情報の通知は、物理レイヤシグナリング（たとえば、下り制御情報（ＤＣＩ：Downlink  Control  Information）、上り制御情報（ＵＣＩ：Uplink  Control  Information））、上位レイヤシグナリング（たとえば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号またはこれらの組み合わせによって実施されてもよい。
【０２２５】
物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。ＲＲＣシグナリングは、ＲＲＣメッセージと呼ばれてもよく、たとえば、ＲＲＣ接続セットアップ（RRCConnectionSetup）メッセージ、ＲＲＣ接続再構成（RRCConnectionReconfiguration）メッセージなどであってもよい。ＭＡＣシグナリングは、たとえば、ＭＡＣ制御要素（ＭＡＣ  ＣＥ（Control  Element））を用いて通知されてもよい。
【０２２６】
所定の情報の通知（たとえば、「Ｘであること」の通知）は、明示的な通知に限られず、暗示的に（たとえば、当該所定の情報の通知を行わないことによってまたは別の情報の通知によって）行われてもよい。
【０２２７】
判定は、１ビットで表される値（０か１か）によって行われてもよいし、真（true）または偽（false）で表される真偽値（boolean）によって行われてもよいし、数値の比較（たとえば、所定の値との比較）によって行われてもよい。
【０２２８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２９】
ソフトウェア、命令、情報などは、伝送媒体を介して送受信されてもよい。たとえば、ソフトウェアが、有線技術（同軸ケーブル、光ファイバケーブル、ツイストペア、デジタル加入者回線（ＤＳＬ：Digital  Subscriber  Line）など）および無線技術（赤外線、マイクロ波など）の少なくとも一方を使用してウェブサイト、サーバ、または他のリモートソースから送信される場合、これらの有線技術および無線技術の少なくとも一方は、伝送媒体の定義内に含まれる。
【０２３０】
本開示において使用する「システム」および「ネットワーク」という用語は、互換的に使用され得る。
【０２３１】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２３２】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）」、「送受信ポイント（transmission/reception  point）」、「セル」、「セクタ」、「セルグループ」、「キャリア」、「コンポーネントキャリア」、「帯域幅部分（ＢＷＰ：Bandwidth  Part）」などの用語は、互換的に使用され得る。基地局は、マクロセル、スモールセル、フェムトセル、ピコセルなどの用語で呼ばれる場合もある。
【０２３３】
基地局は、１つまたは複数（たとえば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（たとえば、屋内用の小型基地局（ＲＲＨ：Remote  Radio  Head））によって通信サービスを提供することもできる。「セル」または「セクタ」という用語は、このカバレッジにおいて通信サービスを行う基地局および基地局サブシステムの少なくとも一方のカバレッジエリアの一部または全体を指す。
【０２３４】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２３５】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントまたはいくつかの他の適切な用語で呼ばれる場合もある。
【０２３６】
基地局および移動局の少なくとも一方は、送信装置、受信装置、通信装置などと呼ばれてもよい。基地局および移動局の少なくとも一方は、移動体に搭載されたデバイス、移動体自体などであってもよい。当該移動体は、乗り物（たとえば、車、飛行機など）であってもよいし、無人で動く移動体（たとえば、ドローン、自動運転車など）であってもよいし、ロボット（有人型または無人型）であってもよい。基地局および移動局の少なくとも一方は、必ずしも通信動作時に移動しない装置も含む。たとえば、基地局および移動局の少なくとも一方は、センサなどのＩｏＴ（Internet  of  Things）機器であってもよい。
【０２３７】
本開示における基地局は、ユーザ端末で読み替えてもよい。たとえば、基地局およびユーザ端末間の通信を、複数のユーザ端末間の通信（たとえば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。「上り」、「下り」などの文言は、端末間通信に対応する文言（たとえば、「サイド（side）」）で読み替えられてもよい。たとえば、上りチャネル、下りチャネルなどは、サイドチャネルで読み替えられてもよい。
【０２３８】
同様に、本開示におけるユーザ端末は、基地局で読み替えてもよい。この場合、上述のユーザ端末２０が有する機能を基地局１０が有する構成としてもよい。
【０２３９】
本開示において、基地局によって行われるとした動作は、場合によってはその上位ノード（upper  node）によって行われることもある。基地局を有する１つまたは複数のネットワークノード（network  nodes）を含むネットワークにおいて、端末との通信のために行われる様々な動作は、基地局、基地局以外の１つ以上のネットワークノード（たとえば、ＭＭＥ（Mobility  Management  Entity）、Ｓ−ＧＷ（Serving-Gateway）などが考えられるが、これらに限られない）またはこれらの組み合わせによって行われ得ることは明らかである。
【０２４０】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。たとえば、本開示において説明した方法については、例示的な順序を用いて様々なステップの要素を提示しており、提示した特定の順序に限定されない。
【０２４１】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（たとえば、ＬＴＥまたはＬＴＥ−Ａと、５Ｇとの組み合わせなど）適用されてもよい。
【０２４２】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２４３】
本開示において使用する「第１の」、「第２の」などの呼称を使用した要素へのいかなる参照も、それらの要素の量または順序を全般的に限定しない。これらの呼称は、２つ以上の要素間を区別する便利な方法として本開示において使用され得る。したがって、第１および第２の要素の参照は、２つの要素のみが採用され得ることまたは何らかの形で第１の要素が第２の要素に先行しなければならないことを意味しない。
【０２４４】
本開示において使用する「判断（決定）（determining）」という用語は、多種多様な動作を包含する場合がある。たとえば、「判断（決定）」は、判定（judging）、計算（calculating）、算出（computing）、処理（processing）、導出（deriving）、調査（investigating）、探索（looking  up、search、inquiry）（たとえば、テーブル、データベースまたは別のデータ構造での探索）、確認（ascertaining）などを「判断（決定）」することであるとみなされてもよい。
【０２４５】
「判断（決定）」は、受信（receiving）（たとえば、情報を受信すること）、送信（transmitting）（たとえば、情報を送信すること）、入力（input）、出力（output）、アクセス（accessing）（たとえば、メモリ中のデータにアクセスすること）などを「判断（決定）」することであるとみなされてもよい。
【０２４６】
「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２４７】
「判断（決定）」は、「想定する（assuming）」、「期待する（expecting）」、「みなす（considering）」などで読み替えられてもよい。
【０２４８】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２４９】
本開示において使用する「接続された（connected）」、「結合された（coupled）」という用語、またはこれらのあらゆる変形は、２またはそれ以上の要素間の直接的または間接的なあらゆる接続または結合を意味し、互いに「接続」または「結合」された２つの要素間に１またはそれ以上の中間要素が存在することを含むことができる。要素間の結合または接続は、物理的であっても、論理的であっても、あるいはこれらの組み合わせであってもよい。たとえば、「接続」は「アクセス」で読み替えられてもよい。
【０２５０】
本開示において、２つの要素が接続される場合、１つ以上の電線、ケーブル、プリント電気接続などを用いて、ならびにいくつかの非限定的かつ非包括的な例として、無線周波数領域、マイクロ波領域、光（可視および不可視の両方）領域の波長を有する電磁エネルギーなどを用いて、互いに「接続」または「結合」されると考えることができる。
【０２５１】
本開示において、「ＡとＢが異なる」という用語は、「ＡとＢが互いに異なる」ことを意味してもよい。「離れる」、「結合される」などの用語も同様に解釈されてもよい。
【０２５２】
本開示において、「含む（include）」、「含んでいる（including）」およびこれらの変形が使用されている場合、これらの用語は、用語「備える（comprising）」と同様に、包括的であることが意図される。さらに、本開示において使用されている用語「または（or）」は、排他的論理和ではないことが意図される。
【０２５３】
本開示において、たとえば、英語でのa,  anおよびtheのように、翻訳によって冠詞が追加された場合、本開示は、これらの冠詞の後に続く名詞が複数形であることを含んでもよい。
【０２５４】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨および範囲を逸脱することなく修正および変更態様として実施することができる。したがって、本開示の記載は、例示説明を目的とし、本開示に係る発明に対して何ら制限的な意味をもたらさない。
【図１】
2020017054.tif 000004
【図２】
2020017054.tif 000005
【図３】
2020017054.tif 000006
【図４】
2020017054.tif 000007
【図５】
2020017054.tif 000008
【図６】
2020017054.tif 000009
【図７】
2020017054.tif 000010
【図８】
2020017054.tif 000011
【図９】
2020017054.tif 000012
【図１０】
2020017054.tif 000013
【図１１】
2020017054.tif 000014
【図１２】
2020017054.tif 000015
【図１３】
2020017054.tif 000016
【図１４】
2020017054.tif 000017
【国際調査報告】
2020017054.tif 000018
2020017054.tif 000019